(57)【要約】      （修正有）【課題】ホログラムを展示する際に観察しやすい角度に調整可能であり、また必要に応じてスタンドを組立てたり、収納したりと自在に開閉が可能であるホログラムスタンドを提供する。【解決手段】基材１が支脚部２とホログラム７を固定する表示部３と台座部４をこの順に有し、前記支脚部と前記台座部が固定されるように前記基材を折り曲げて作るホログラムスタンドであって、前記支脚部と前記台座部には前記表示部と前記台座部の間の角度を調整してお互いを固定する手段が設けられていることを特徴とするホログラムスタンドを提供することにより、上記課題を解決するものである。【選択図】図１
2008183206.tif 000002
【特許請求の範囲】
【請求項１】
基材が支脚部とホログラムを固定する表示部と台座部をこの順に有し、前記支脚部と前記台座部が固定されるように前記基材を折り曲げて作るホログラムスタンドであって、前記支脚部と前記台座部には前記表示部と前記台座部の間の角度を調整してお互いを固定する手段が設けられていることを特徴とするホログラムスタンド。
【請求項２】
前記支脚部は突起を有し、前記台座部は前記突起を差込むことができる差込口を複数有することを特徴とする請求項１に記載のホログラムスタンド。
【請求項３】
前記支脚部は、前記支脚部と前記表示部の界面に対して平行な折曲線と、折曲線上から切起した突起を有し、前記台座部は前記突起を差込むことができる差込口を複数有することを特徴とする請求項１に記載のホログラムスタンド。
【請求項４】
前記基材は前記支脚部と前記表示部の界面および前記表示部と前記台座部の界面に折り曲げ部を有することを特徴とする請求項１から３のいずれか１項に記載のホログラムスタンド。
【請求項５】
前記折り曲げ部はお互いに幅が異なることを特徴とする請求項４に記載のホログラムスタンド。
【発明の詳細な説明】
【技術分野】
【０００１】
本発明は写真等の画像用スタンドに関するものであり、特に画像としてホログラム用いて意匠性を高くしたスタンドに関するものである。
【背景技術】
【０００２】
ホログラムは、記録対象物を三次元で表現でき、高い回折効率、高度な製造技術が必要であることなどから、意匠用途、セキュリティー用途等の分野で幅広く利用されている。またホログラムは、波長の等しい二つの光（物体光と参照光）を干渉させて物体光の波面を干渉縞として感光材料に記録したものであり、このホログラムに干渉縞記録時の参照光と同一条件（波長や角度）の光を当てると干渉縞による回折現象が生ずる。このようにホログラムは波長選択性や角度選択性があるため、ホログラムを展示する際には、記録時の参照光と同一条件の光が当たるようにホログラムの展示角度の微調整等が必要であり、日常的なホログラムの展示において所望のホログラム像を再生することが困難であった。またホログラムは高い回折効率ゆえに鮮明な意匠性の高い画像を表示可能であるが、汚れや傷が付くとこのような機能が失われてしまい、ホログラムの機能を十分に発揮できないという問題があった。
【０００３】
従来、画像を飾る手段としては、写真や卓上カレンダーを飾るスタンドが知られている。これらのスタンドとしては、特許文献１や特許文献２に記載されているように１枚の台紙に画像表示部と脚部を設け、画像を飾る際には台紙を折り曲げて脚部を形成するものが知られている。しかしながら、これらの従来のスタンドは画像を飾る角度の選択が出来なかったり、角度の変更はできるが調整が困難であり、角度選択性のあるホログラムを飾る手段としては不適当であった。
【０００４】
【特許文献１】実開昭５５−８５８６５号公報
【特許文献２】実用新案登録第３１１９８７８号公報
【０００５】
また汚れや傷が付くことを防止するために、例えば２つ折りのカードの内側にホログラムを貼付する様な態様が考えられるが、別途台座等を用いないとカードのみではホログラムを飾ることが困難であった。
【発明の開示】
【課題を解決するための手段】
【０００６】
本発明は従来技術のこのような現状に鑑みてなされたものであり、その目的は、ホログラムを展示するためのスタンドの機能と保管用アルバムの機能を一体化させる事ができ、ホログラムを展示する場合には角度調整してホログラムを観察しやすい角度に飾ることが可能であり、ホログラムを展示しないときは、保管用のアルバムとして機能することができるホログラムスタンドを提供するものである。
【０００７】
本発明は、基材が支脚部とホログラムを固定する表示部と台座部をこの順に有し、前記支脚部と前記台座部が固定されるように前記基材を折り曲げて作るホログラムスタンドであって、前記支脚部と前記台座部には前記表示部と前記台座部の間の角度を調整してお互いを固定する手段が設けられていることを特徴とするホログラムスタンドを提供する。
【０００８】
このような構成にすることにより、表示部にホログラムを用いているので３次元の画像の表示や視覚効果を加えることができ、従来の写真や卓上カレンダーのスタンドに比べ意匠性を高めることができる。またホログラムは観察する角度により見え方が変わる画像であり、光源とホログラムと観察者の位置関係が重要であるが、本発明の構成によれば、前記支脚部と前記台座部を固定する際に、前記表示部と前記台座部の間の角度を調整できるので、観察に適した表示角度でホログラムを立たせることができる。またホログラム撮影時に記録角度を制御することにより、視域の制限を付与することもできスタンドの機能を拡張することができる。さらには、予めホログラムスタンド、光源、観察者の場所を決めておき、ホログラムスタンドの角度調整に対応して、各角度ごとに異なるホログラムを記録することにより、ホログラムスタンドの角度を変えることにより再生される画像を変化させることも可能である。
【０００９】
本発明は、前記支脚部が突起を有し、前記台座部が前記突起を差込むことができる差込口を複数有することを特徴とするホログラムスタンドを提供する。
【００１０】
このような構成にすることにより、スタンドを組立てる際に前記支脚部の突起を前記台座部の差込口に差込んで固定できるので、ホログラムスタンドを安定して立たせることができる。また前記支脚部の突起の差込位置を前記台座部の複数ある差込口の位置から適宜選択することにより、再生に適した表示角度でホログラムを立たせることができる。さらには固定する際に接着剤等を用いていないので、必要に応じて角度調整してスタンドを組立てたり、収納したりと自在に開閉が可能である。
【００１１】
本発明は、前記支脚部が、前記支脚部と前記表示部の界面に対して平行な折曲線と、折曲線上から切起した突起を有し、前記台座部は前記突起を差込むことができる差込口を複数有することを特徴とするホログラムスタンドを提供する。
【００１２】
このような構成にすることにより、スタンドを組立てる際に、前記台座部に沿うように前記支脚部を折曲線上で折り曲げて重ねると共に、前記支脚部の折曲線上から切起した突起を前記台座部の差込口に差込むことができるので、ホログラムスタンドをより安定して立てることができる。また上述したように固定する際に接着剤等を用いていないので、必要に応じて角度調整してスタンドを組立てたり、収納したりと自在に開閉が可能である。
【００１３】
本発明は、前記基材は前記支脚部と前記表示部の界面および前記表示部と前記台座部の界面に折り曲げ部を有することを特徴とするホログラムスタンドを提供する。
【００１４】
このような構成により、上述のようにスタンドを組立てるときや収納するときに折り曲げが簡単にでき、より手軽に使用することができる。
【００１５】
本発明は、前記支脚部と前記表示部の界面および前記表示部と前記台座部の界面の折り曲げ部が、お互いに幅が異なることを特徴とするホログラムスタンドを提供する。
【００１６】
このような構成により、前記支脚部と前記台座部を前記表示部のホログラム固定面に対して谷折にしてホログラム表示部を包みこむように収納するときに、片方の折曲げ部よりも、もう片方の折曲げ部の幅が大きくなっているので包み込み易く収納が容易にできる。
【発明の効果】
【００１７】
本発明によれば、ホログラムを展示する為のスタンドの機能と保管用アルバムの機能を一体化させる事ができ、且つホログラムを展示した場合には角度調節を可能とするため、ホログラムを観察しやすい角度に飾ることが可能になり、スタンドとしての意匠性が格段に向上できるものである。
【発明を実施するための最良の形態】
【００１８】
以下、本発明に係るホログラムスタンドの実施の形態について、図面を参照して説明する。なお、以下に示す例は好ましい実施態様であり、本発明が以下に示す例に限定されるものではない。
【００１９】
図１は本発明のホログラムスタンドの展開図であり、基材１が支脚部２とホログラム７を固定する表示部３と台座部４により構成されている。スタンドを組立てるときは、表示部３のホログラム固定面を基準面として基材１を山折りにし、支脚部２と台座部４を固定して図２に示すようなスタンドを組立てる。また収納するときは、図３および４に示すように表示部３のホログラム固定面を基準面として、支脚部２と台座部４を谷折にして表示部３を包みこむように収納する。以下に各部材ごとに詳細に説明する。
【００２０】
（基材）
上述した基材１は、紙や各種プラスチック基材や金属基材あるいはこれらの積層基材を使用することができる。上述の基材の中では紙が質感や強度、加工性、コストの面でより好ましく用いられる。
【００２１】
また基材１は１種類の材料を折り曲げて用いることができる。このような構成によれば、他の部材を用いる必要がないので容易に製造でき、さらにコストを抑えることが可能である。１種類の材料を折り曲げて用いる基材の例としては、紙類が質感、強度、加工性、コストに加えて、折り曲げ性を容易に付与することができるので好ましく用いられる。
また基材１は１種類を折り曲げて用いるものに限らず、必要に応じて異なる種類の基材や厚みの異なる基材を接合して用いてもよい。例えば、スタンドを立てたときの安定性を付与するために、支脚部２を他の部よりも厚みの厚い基材を用いたり、意匠性を向上するために表示部３のみに金属基材を用いることなどが挙げられる。また基材の接合手段としては、スタンド組立時や収納時に接合した基材が外れないように固定できるものであればどのようなものを用いてもよく、例えばテープ、ヒンジ等を用いることができる。また基材の接合手段を設ける接合部が折り曲げ部を兼ねる場合は、前記要件に加えて折り曲げ性のある手段を用いることができ、例えばテープ、リング状のバインダー等を用いることができる。
【００２２】
また本発明のホログラムスタンドは、図２に示すような３つ折に限定されず、図７に例示するスタンド断面図のような支脚部２を複数回折り曲げた構成でも構わない。
【００２３】
（支脚部と台座部）
支脚部２は図２に示すようにスタンドを支える部位であり、また台座部４はスタンドの底面にあたる部位である。支脚部２と台座部４の固定方法としては、スタンドを安定して立てることができれば特に手段は限定されないが、特に以下のような固定手段を好ましく用いることができる。
【００２４】
まず第１の固定手段しては、図８に記載されているように支脚部２に突起５を設け、一方台座部４には突起５に対応する差込口８を設け、図２のようにスタンドを組立てる際には支脚部２の突起５を台座部４の差込口８に差込んで固定する手段が挙げられる。このような固定手段を用いることにより、ホログラムスタンドを安定して立たせることができると共に、固定する際に接着剤等を用いていないので、必要に応じてスタンドを組立てたり、収納したりと自在に開閉が可能である。
【００２５】
また第２の固定手段としては、図１に記載されているように支脚部２上に折曲線９と、折曲線９上から切起した突起５を設け、一方台座部４には突起５に対応する差込口８を設ける手段が挙げられる。図５のスタンド組立て時の断面図に記載されているように、支脚部の折曲線から先端に向けての領域１０は、スタンドを組立てる際に台座部４と重なる部位であり、また突起５は上述したように台座部の差込口に差込んで固定する部位である。このような構成にすることにより、台座部の厚みを増すことができホログラムスタンドをより安定して立てることができる。また固定する際に接着剤等を用いていないので、必要に応じてスタンドを組立てたり、収納したりと自在に開閉が可能である。
【００２６】
また第３の固定手段としては、図９に記載するような台座部４の一部を切起したストッパー１１を設け、支脚部２を固定する手段が挙げられる。この手段によっても上述したように固定する際に接着剤等を用いていないので、必要に応じてスタンドを組立てたり、収納したりと自在に開閉が可能である。
【００２７】
また台座部４は、支脚部２を固定する手段を複数有している。例えば、図１に記載されているように、台座部４が突起５を差込むことができる差込口を複数有する構成が挙げられる。ホログラムは観察する角度により見え方が変わる画像であり、光源とホログラムと観察者の位置関係が重要であるが、このような構成によれば、図６に記載されているように、支脚部２の突起５の差込位置を台座部４の複数ある差込口８の位置から適宜選択することにより、再生に適した表示角度でホログラムを立たせることができる。また予めホログラムスタンド、光源、観察者の場所を決めておき、特定の場所のみでホログラムを観察できるようにすることもできる。さらには、予めホログラムスタンド、光源、観察者の場所を決めておき、ホログラムスタンドの角度調整に対応して、各角度ごとに異なるホログラムを記録することにより、ホログラムスタンドの角度を変えることにより再生される画像を変化させることも可能である。
【００２８】
（表示部）
表示部３はホログラム７を固定する部位である。ホログラム７を固定する手段としては、ホログラム７が表示部３より脱落しない程度に固定されていればどのような手段を用いてもよいが、ホログラム７の裏面と表示部３の表面を接着する手段や、図１０に示すように縁をバンド１２で固定する手段や、また図１１に示すように、ホログラム７の裏面と表示部３の表面を接着し、さらにその上からホログラム７のサイズと同じかそれより小さい表示用穴（窓）を有するフレーム台紙１３を重ねて固定する手段が好ましく用いられる。このような手段によれば、ホログラム７がカバーやフィルム等で覆われていないので、画像の鮮明性が落ちることなくホログラム７を表示部３に固定できる。
【００２９】
また表示部３に用いることができるホログラム７としては、イメージホログラム、レインボーホログラム、リップマンホログラム、ホログラフィックステレオグラム、回折格子等が挙げられる。 ホログラムを材料別に大別すると、「感光材料型」と「エンボス複製型」の２タイプに分けられ、リップマンホログラム以外の「感光材料型」のホログラムは再生機能上は透過型であるので前述したように背面に反射層を伴う。また、「感光材料型」でリップマンホログラムのタイプは、そのまま用いることができる。また、「エンボス複製型」で材料として透明樹脂を用いたものは透過型であり背面に反射層を形成して適用することができるが、レリーフ面にレリーフ形状に従う反射層を、たとえば真空蒸着法等により設けた場合は反射型ホログラムとしてそのまま利用することができる。上記のようなホログラムの特徴として、照明光等の環境光によって再生可能であること、波長選択性があること、角度選択性があること、立体物が記録再生できること、多重記録ができることが挙げられ、スタンドの表示画像にホログラムを用いることにより意匠性を格段に向上させることができる。
【００３０】
（折り曲げ部）
折り曲げ部６および６´は、スタンド組立て時やスタンド収納時に基材を曲げ易いように設けるものである。折り曲げ部６および６´は、基材をプレス加工して他の部位よりも厚みを薄くして形成したり、折り曲げ易い他の材料を接合して設けることができる。また折り曲げ部６の幅が支脚部２と表示部３と台座部４の基材厚みの総和よりも厚く、折り曲げ部６´の幅が表示部３と台座部４の基材厚みの総和よりも厚くかつ折り曲げ部６の幅から支脚部２の基材厚みを引いたものよりも厚みが薄いことが好ましい。またホログラムを固定する方法として図１１に示すようなフレーム台紙１３を用いる場合は、折り曲げ部６の幅が支脚部２と表示部３とフレーム台紙１３と台座部４の厚みの総和よりも厚く、折り曲げ部６´の幅が表示部３とフレーム台紙１３と台座部４の基材厚みの総和よりも厚く、かつ折り曲げ部６の幅から支脚部２の基材厚みを引いたものよりも厚みが薄いことが好ましい。このような構成により、前記支脚部と前記台座部を前記表示部のホログラム固定面に対して谷折にしてホログラム表示部を包みこむように収納するときに、片方の折曲げ部６´よりも、もう片方の折曲げ部６の幅が大きくなっているので包み込み易く収納が容易にできる。また折り曲げ部６と６´の幅の関係は上記態様と逆の関係でも構わない。
【図面の簡単な説明】
【００３１】
【図１】本発明によるホログラムスタンド展開時の一例を示した図。
【図２】本発明によるホログラムスタンド組立時の一例を示した図。
【図３】本発明によるホログラムスタンド収納時の一例を示した図。
【図４】本発明によるホログラムスタンド収納時の断面の一例を示した図。
【図５】本発明によるホログラムスタンド組立時の断面の一例を示した図。
【図６】本発明によるホログラムスタンド組立時の角度調整の一例を示した図。
【図７】本発明によるホログラムスタンド組立時の断面の一例を示した図。
【図８】本発明によるホログラムスタンド展開時の一例を示した図。
【図９】本発明によるホログラム組立時の固定手段の一例を示した図。
【図１０】本発明による表示部のホログラム固定手段の一例を示した図。
【図１１】本発明による表示部のホログラム固定手段の一例を示した図。
【符号の説明】
【００３２】
１  基材
２  支脚部
３  表示部
４  台座部
５  突起
６  折り曲げ部
６´折り曲げ部
７  ホログラム
８  差込口
９  折曲線
１０  支脚部先端
１１  ストッパー
１２  バンド
１３  フレーム台紙
【図１】
2008183206.tif 000003
【図２】
2008183206.tif 000004
【図３】
2008183206.tif 000005
【図４】
2008183206.tif 000006
【図５】
2008183206.tif 000007
【図６】
2008183206.tif 000008
【図７】
2008183206.tif 000009
【図８】
2008183206.tif 000010
【図９】
2008183206.tif 000011
【図１０】
2008183206.tif 000012
【図１１】
2008183206.tif 000013